(57)【特許請求の範囲】
【請求項１】
左側誘導部と右側誘導部とを有し、当該左側誘導部及び右側誘導部の接合部を基点として、遊技球が打ち出される遊技領域を左側領域と右側領域とに分ける盤面飾りと、
前記右側領域に配設され、前記右側誘導部の誘導により前記右側領域を流下する遊技球が通過することにより、大当り遊技開始の契機となる特別領域を有する役物構造体と、
を備えたパチンコ機の遊技盤であって、
前記右側誘導部よりも下流側の遊技盤上に設けられ、前記右側誘導部の右側端部よりも右側で終端する誘導通路の誘導により前記右側領域を流下する遊技球を遊技者に視認可能に右側へ向かって誘導する誘導部と、
前記誘導部よりも下流側に設けられ、前記右側領域を流下する遊技球の前記役物構造体への進入を開放状態において許容する羽根部材と、
を備えたことを特徴とする遊技盤。
【請求項２】
前記誘導部が前記誘導通路の終端部から前記開放状態の羽根部材の傾斜方向と実質的に同一方向に傾斜する障壁を有し、
前記羽根部材の下流側に前記役物構造体の入賞口が設けられたことを特徴とする請求項１記載の遊技盤。
【請求項３】
前記左側領域に配設され、前記左側誘導部により誘導された遊技球を取り込み得る始動入賞部品と、
前記右側領域において前記誘導部よりも下流側に設けられ、前記始動入賞部品に遊技球が取り込まれたこと、又は、前記特別領域を遊技球が通過したことを契機として開始される大当り遊技中に開放動作する大入賞部品とを備えたことを特徴とする請求項１又は請求項２記載の遊技盤。
【発明の詳細な説明】
【技術分野】
【０００１】
本発明は、パチンコ機の盤面構造に関し、特に側部に役物構造を備えたパチンコ機の遊技盤に関する。
【背景技術】
【０００２】
近年、遊技機の一例としてのパチンコ遊技機（以下、パチンコ機という）においては、遊技盤の遊技領域内に打ち出された遊技球（以下、球という場合もある）が所定の始動入賞口に取り込まれることにより所定の確率に基づく抽選を実行し、抽選の結果を示す図柄が所定の形態で揃うことを条件として大当り遊技を実行する第一種遊技機と、遊技盤の遊技領域内に役物と呼ばれる入賞構造体を設け、遊技盤の遊技領域内に打ち出された遊技球が役物内に開設された特別領域（Ｖ入賞領域）内に取り込まれることにより大当り遊技を実行する第二種遊技機とを混合した一種二種混合機と呼ばれる種類のパチンコ機の提案がなされている。
【０００３】
特許文献１に示すように、一種二種混合機と呼ばれるパチンコ機は、遊技盤の略中央部に始動入賞口を配設し、遊技盤の左半部に打ち出された球が始動入賞口へ入賞することを契機として抽選を実行し、抽選の結果が当りである場合に、所謂大当り遊技を実行する。
また、大当り遊技終了後には、例えば３分の1の確率で遊技状態が切り替わる特典が付与され、遊技状態が切り替わった場合、遊技者は遊技盤の右半部に設けられた役物構造体を狙って大当り遊技を獲得することが可能となる。
つまり、一種二種混合のパチンコ機は、遊技状態に応じて球を打ち出す位置を調整することにより遊技盤の略中央部に設けられた始動入賞口への入賞を契機として大当り遊技を獲得する遊技と、遊技球を遊技盤の右半部に打ち出すことにより役物構造体への入賞を契機として大当り遊技を獲得する遊技との両方を楽しめるパチンコ機である。
【先行技術文献】
【特許文献】
【０００４】
【特許文献１】特開２０１０−１３１０３８号公報
【０００５】
しかし、上記特許文献１に係るパチンコ機においては、遊技盤の右半部に打ち出された球が役物構造体へ向かって流下する際の球の動きが単調であり、さらに球が打ち出されてから役物構造体へ取り込まれるまでのハラハラ感やドキドキ感を遊技者が味わう間もなく球が流下していまい、二種遊技機が有する本来の遊技性が十分に発揮されているとはいい難い。
また、役物構造体の入賞口を開閉する羽根部材が右半部の広範な領域に対して単独で開閉動作することから羽根の開放状態、入賞口の範囲を視覚的に認識させることができず、連続的に打ち出される球の入賞の可否を遊技者に対して感覚的に認識させることができない結果、二種遊技中における遊技の面白みを減退させる結果を招く。
【発明の概要】
【発明が解決しようとする課題】
【０００６】
そこで、本発明は上記課題を解決すべく役物構造体へ向かって流下する際の球の動きを単調なものとすることなく、さらに、羽根部材の開放状態、入賞口の範囲を遊技者に対して視覚的に認識させることが可能な遊技盤を提供することを目的とする。
【課題を解決するための手段】
【０００７】
上記課題を解決するため、本発明の第一の構成として、左側誘導部と右側誘導部とを有し、当該左側誘導部及び右側誘導部の接合部を基点として、遊技球が打ち出される遊技領域を左側領域と右側領域とに分ける盤面飾りと、右側領域に配設され、右側誘導部の誘導により右側領域を流下する遊技球が通過することにより、大当り遊技開始の契機となる特別領域を有する役物構造体とを備えたパチンコ機の遊技盤であって、右側誘導部よりも下流側の遊技盤上に設けられ、右側誘導部の右側端部よりも右側で終端する誘導通路の誘導により右側領域を流下する遊技球を遊技者に視認可能に右側へ向かって誘導する誘導部と、誘導部よりも下流側に設けられ、右側領域を流下する遊技球の役物構造体への進入を開放状態において許容する羽根部材とを備えた構成とした。
本構成によれば、右側誘導部から落下した遊技球を遊技者に視認可能に右側へ向かって誘導する誘導部が右側誘導部の右側端部よりも右側で終端する誘導通路を有することから、上方に位置する右側誘導部から落下した遊技球の一部が直線的に役物構造体へ流下することなく、誘導通路に沿って右側へ向かって誘導された後に下方へ落下することとなり、遊技球の動きを複合的なものとすることができる。また、遊技球が誘導通路に沿って右側へ向かって誘導された後に下方へ落下することから、右側誘導部によって右側領域へ誘導された遊技球が役物構造体へ取り込まれるまでの時間を多く取ることが可能となる。
また、第二の構成として、誘導部が誘導通路の終端部から開放状態の羽根部材の傾斜方向と実質的に同一方向に傾斜する障壁を有し、羽根部材の下流側に役物構造体の入賞口を設けた構成とした。
本構成によれば、前記構成から生じる効果に加えて、誘導部が誘導通路の終端部から開放状態の羽根部材の傾斜方向と実質的に同一方向に傾斜する障壁を有することから、当該障壁と開放状態中の羽根部材とにより、上下方向に閉鎖された領域が形成され、遊技者が視覚的に羽根部材の下流側に設けられた役物構造体の入賞口に取り込まれ易い領域を認識することが可能となる。
また、第三の構成として、左側領域に配設され、左側誘導部により誘導された遊技球を取り込み得る始動入賞部品と、右側領域において誘導部よりも下流側に設けられ、始動入賞部品に遊技球が取り込まれたこと、又は、前記特別領域を遊技球が通過したことを契機として開始される大当り遊技中に開放動作する大入賞部品とを備えた構成とした。
本構成によれば、大当り遊技中に開放動作する大入賞部品が、誘導部よりも下方に設けられていることにより、大当り遊技中においても役物構造体側に打ち出された遊技球が、誘導通路に沿って右側へ向かって誘導された後に下方へ落下することから、右側誘導部によって役物構造体側へ誘導された遊技球が大入賞部品へ取り込まれるまでの時間を多く取ることが可能となり、遊技者に対して、遊技球が大入賞部品に取り込まれるまでの過程を確実に視認させることができる。
なお、上記発明の概要は、本発明の必要な特徴の全てを列挙したものではなく、特徴群を構成する個々の構成もまた発明となり得る。
【図面の簡単な説明】
【０００８】
【図１】パチンコ機１０の概略正面図である。
【図２】パチンコ機１０の右側領域を示す拡大図である。
【図３】役物構造体６０を示す拡大図である。
【図４】役物構造体６０を示す斜視図である。
【発明を実施するための形態】
【０００９】
以下、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らない。
【００１０】
図１は、遊技機の一例としてのパチンコ機１０の全体正面図である。同図を用いてパチンコ機１０の概略について説明する。なお、本明細書において上下左右方向とは、図１における矢印で表される方向をいうものとする。
パチンコ機１０は、球が打ち出される遊技領域１１Ａを有し、額縁状に形成された図外の内枠に対して着脱自在に取り付けられる遊技盤１１と、内枠を前後方向に開閉自在に軸支する外枠１３とを備える。遊技盤１１の前方には、内枠の前後方向に開閉自在に軸支される窓１２が設けられ、遊技盤１１の前方が閉鎖される。
また、パチンコ機１０の下方には発射ハンドル１４が回動自在に取着され、発射ハンドル１４が遊技者の操作によって回動操作されることにより、図外の打ち出し機構が駆動する。打ち出し機構が駆動すると、上皿構造体１６内に貯留された球が発射通路１５を通過して上方に打ち出され、遊技盤１１の前面に取り付けられた外ガイドレール１８と内ガイドレール１７とで囲繞された遊技領域１１Ａ内に進入する。
【００１１】
遊技盤１１の中央部には、前後方向に開口する取り付け開口１９を介して例えば、ＬＣＤ，ＣＲＴ，或いは、回転ドラム式等の図外の図柄表示装置が装着される。また、取り付け開口１９の周囲には、図柄表示装置を取り囲むように前方に突出する盤面飾り２０が遊技盤１１に対して固着される。なお、図示は省略するが遊技盤１１上には、多数の誘導釘が植設されており、遊技領域１１Ａ内に打ち出された球は誘導釘によって誘導されながら流下する。
【００１２】
盤面飾り２０は、遊技盤１１を装飾するとともに、遊技領域１１Ａ内に打ち出された球を誘導する機能を有する。盤面飾り２０は、周囲に形成された複数のベースプレート２１を有し、各ベースプレート２１に開設されたネジ穴を介して遊技盤１１の前面に取り付けられる。各ベースプレート２１は、遊技盤１１の前面より厚さ分僅かに前側に突出するが、窓１２が閉じられた状態においてベースプレート２１の前面と窓１２の裏面は球の１個分の直径以上の間隔が確保される。
【００１３】
盤面飾り２０は、遊技盤１１を正面視した場合に遊技盤１１の左側に向かって下傾斜する左側誘導部２５と、当該左側誘導部２５と連続して遊技盤１１の右側に向かって下傾斜する右側誘導部３０を有する。左側誘導部２５及び右側誘導部３０は、ベースプレート２１よりも前側に突出する。左側誘導部２５及び右側誘導部３０の前面と窓１２が閉じられた状態における窓１２の裏面との間隔は球１個分の直径よりも狭く、球が左側誘導部２５及び右側誘導部３０よりも前側から下方に落下することはない。
よって、左側誘導部２５に着弾した球は、当該左側誘導部２５の傾斜に沿って遊技盤１１の左側領域に誘導され、右側誘導部３０に着弾した球は、右側誘導部３０に沿って遊技盤１１の右側領域に誘導され、後述の役物構造体６０側に流下する。
なお、本明細書において左側領域及び右側領域の範囲とは、それぞれ左側誘導部２５と右側誘導部３０とが交わる接続部Ｑを基準とする左右方向の範囲をいうものとする。
【００１４】
左側誘導部２５と連続して上下方向に延長する垂直部２６は、ベースプレート２１よりも前側に突出する。垂直部２６の前面と窓１２が閉じられた状態における窓１２の裏面との間隔は球１個分の直径よりも狭く、球が垂直部２６よりも前側から内側に進入することはない。また、垂直部２６の下方の一部には、遊技盤１１の左右方向に連通するワープ通路２６Ａが開設される。
遊技領域１１Ａからワープ通路２６Ａに取り込まれた球は、取り付け開口１９の下縁部にて左右方向に延在するステージ２７上に導出される。ステージ２７は、ベースプレート２１より後側に突出する壁面であって、当該ステージ２７上に導出された球は、ステージ２７上を左右方向に転動する過程において下方に落下するか、或いはステージ２７の中央部に開設された導出口２７Ａに取り込まれた後に落下する。
【００１５】
右側誘導部３０と連続して遊技盤１１の内側方向に弓形に延長する湾曲部３１は、ベースプレート２１よりも前側に突出する。湾曲部３１の前面と窓１２が閉じられた状態における窓１２の裏面との間隔は球１個分の直径よりも狭く、球が湾曲部３１よりも前側から内側に進入することはない。また、湾曲部３１の下側には、遊技盤１１の外側方向に突出する誘導部４０が設けられ、当該誘導部４０の下方に入賞口６１及び羽根部材６５を備えた役物構造体６０が配設される。
【００１６】
以下、図２乃至図４を用いて接続部Ｑを基点とする右側領域について詳説する。同図に示すように、右側誘導部３０は、接続部Ｑを基点として遊技盤１１の右側に向かって緩やかに下傾斜する誘導通路３０Ａを有する。誘導通路３０Ａ上を転動して役物構造体６０側、即ち、遊技盤１１の外側方向に誘導される球Ｐ１は、誘導通路３０Ａの外側端部３３から円弧状の軌跡を描いて落下し、落下の勢いにより外側端部３３よりも下方に植設された誘導釘群Ｎ１によって、Ｘ１方向又はＸ２方向に誘導される。外側端部３３は、誘導通路３０Ａと、当該誘導通路３０Ａと連続して下方に延長する側面３０Ｂとの交点であり、右側誘導部３０における最も外側に位置する地点である。
上記のとおり、右側誘導部３０は、誘導通路３０Ａを有することにより遊技領域１１Ａ内に打ち出された球を役物構造体６０側に誘導する第一の誘導部であり、誘導通路３０ＡからＸ１に示す経路を通って流下した球Ｐ１は、後述の第二の誘導部によってさらに変化が加えられる。
【００１７】
誘導釘群Ｎ１によりＸ１方向に誘導された球Ｐ２は、湾曲部３１の下側に設けられた誘導部４０上に落下する。誘導部４０は、ベースプレート２１から前記湾曲部３１の突出高さと略同一高さまで突出する壁体であって、上方から落下した球Ｐ２を受け止め、当該受け止めた球Ｐ２を遊技盤１１の外側方向へ誘導する誘導通路４１と、当該誘導通路４１と連続する障壁５０とを有する。
【００１８】
誘導通路４１は、湾曲部３１の側壁３１Ａと連続して、遊技盤１１の外側方向に張り出すように延長する通路であり、外側方向に向かって僅かに下傾斜する傾斜面として形成される。また、誘導通路４１の外側端部４１Ａは、少なくとも上方に位置する誘導通路３０Ａの外側端部３３よりも外側に位置し、誘導通路４１上に落下した球Ｐ２は、外側端部４１Ａから円弧状の軌跡を描いて落下し、下方に植設された誘導釘群Ｎ２によって誘導される。
なお、外側端部４１Ａは、誘導通路４１と当該誘導通路４１と連続して延長する後述の障壁５０との交点であり、誘導部４０における最も外側に位置する地点である。
【００１９】
誘導部４０は、上方から落下した球を外側方向へ誘導する誘導通路４１を有することにより、誘導通路３０Ａから落下してＸ１方向（下方向）に誘導された球に対して横方向（Ｙ１方向）の動きを与えることが可能となる。つまり、誘導部４０は、上方に位置する右側誘導部３０から落下した球を遊技盤１１の外側に誘導する第二の誘導部である。
さらに、誘導通路４１が設けられたことによりＸ１方向に落下した球は、落下経路の途中で誘導通路４１上においてあたかも一旦止まった状態となった後に、再び外側端部４１Ａから落下を開始することとなるため、球が誘導通路３０Ａから落下してから後述の役物構造体６０に取り込まれるまでの時間的余裕が生まれ、遊技者に対して役物構造体６０へ取り込まれるまでのハラハラ感やドキドキ感等の期待感を持続的に付与することが可能となる。
また、誘導部４０の誘導通路４１によって球が受け止められるため、上方から流下した球が下方に位置する開放状態中の羽根部材６５に直接衝突することがなくなり、繰り返しの衝突による羽根部材６５の破損を防止することが可能となる。
【００２０】
誘導釘群Ｎ１により、Ｘ２方向に誘導された球Ｐ１は、誘導通路３０Ａと誘導通路４１との間に位置する普通図柄始動部品４３内部又は普通図柄始動部品４３の外側を通過して下方に落下する。普通図柄始動部品４３は、遊技盤１１上に固定されるベースプレート２１を介して取り付けられる遊技部品であって、遊技盤１１の上下方向に開口した門型の検出部４３Ａを有する。検出部４３Ａの内部には図外の検出センサーが内挿され、球が検出部４３Ａを通過する度に後述の主制御装置に対して検出信号を出力する。
普通図柄始動部品４３内又は普通図柄始動部品４３の外側を通過した球は、普通図柄始動部品４３よりも下方に植設された誘導釘群Ｎ２により遊技盤１１の内側方向に誘導され、役物構造体６０方向に向かって流下し、一部の球が役物構造体６０へと取り込まれ、一部の球が役物構造体６０へ取り込まれることなく流下する。
【００２１】
以下、誘導部４０よりも下方に配設された役物構造体６０について説明する。役物構造体６０は、概略、遊技盤１１の上方に開口する入賞口６１を有し、遊技盤１１の上下方向に延長する中空構造の本体部６３と、入賞口６１の近傍に開閉自在に軸着される羽根部材６５とからなる。
本体部６３は、入賞口６１より内部に取り込まれた球を複数の通路に振り分ける図外の振り分け体と、内部に形成された複数の通路のうち、いずれかの通路に設けられた特別領域とを有し、特別領域内に内挿された検出センサーによって球が検出されることにより後述の主制御装置による大当り遊技が実行される。また、特別領域が設けられた通路以外の通路に振り分けられた球は、「外れ球」として外部に排出される。
【００２２】
羽根部材６５は、中央部に挿通される軸体によって保持される円筒状の基部６６と、基部６６の半径方向外側に延長する羽根部６７とからなる。基部６６に挿通される軸体は、遊技盤１１を前後方向に貫通するとともに、遊技盤１１の裏面に配設された図外のソレノイドとリンク機構を介して接続され、ソレノイドの直動動作に応じて所定の範囲の角度で回転する。
【００２３】
羽根部６７は、基部６６の回転動作によって、閉鎖状態又は破線で示す開放状態の２つの形態を取りえる部材であって、閉鎖状態において遊技盤１１の上下方向に沿って直立した状態で停止する。より詳細には、羽根部６７が閉鎖状態となった場合において、羽根部６７の先端面６７Ａは、障壁５０の下面に設けられた障害壁５５の下面５５Ａと球１個分の直径より小さい間隔で近接する。よって、羽根部６７が閉鎖状態のとき、球が入賞口６１によって取り込まれることはなく、役物構造体６０への進入は阻止される。なお、下面５５Ａと先端面６７Ａとの距離を調整し、進入を困難な構成としてもよい。
【００２４】
一方、図３に示すように、羽根部６７が開放状態となった場合において、羽根部６７の先端面６７Ａは、下面５５Ａから遊技盤１１の外側方向に離間し、誘導釘群Ｎ２によって内側方向に誘導された球を転動方向の下流側に位置する入賞口６１方向に取り込み可能な状態に変位する。
羽根部６７が上記のように変位した場合、球は傾斜面６７Ｂ上を入賞口６１方向、即ち遊技盤１１の内側方向へ向かって転動し、入賞口６１から取り込まれることにより役物構造体６０内に進入する。また、羽根部６７が開放状態となった場合における羽根部６７、及び、上方に位置する障壁５０の傾斜方向は実質的に同一方向である。以下、障壁５０と羽根部６７との関係について詳説する。
【００２５】
障壁５０は、外側端部４１Ａを基点として誘導通路４１と連続して延長する壁面である。障壁５０は、外側端部４１Ａを基点として遊技盤１１の内側へ向かうに従って下傾斜する面であって、その傾斜方向は下方に位置する羽根部６７の傾斜方向と実質的に同一である。
即ち、閉鎖状態時の羽根部６７の傾斜方向を回転中心軸を通る垂線としての直線Ｌ１で表した場合、開放状態時の直線Ｌ２の傾斜方向は、前記障壁５０の傾斜方向と同様に遊技盤１１の内側へ向かうに従って下傾斜する直線として表される。
また、「傾斜方向が実質的に同一」であるとは、直線Ｌ１に対する障壁５０及び直線Ｌ２の角度θが少なくとも０°＜θ＜９０°を満たし、障壁５０と羽根部材６７が互いに平行である場合や、互いに異なる角度である場合をも含む。例えば本実施形態における障壁５０の傾斜角度は直線Ｌ１に対して４５°程度に設定され、羽根部６７の傾斜角度は４０°程度に設定される。
【００２６】
このように、本実施形態においては、障壁５０と開放状態時の羽根部６７の傾斜方向を実質的に同一方向となるように構成したので、遊技者に対して視覚的、感覚的に羽根部６７の先端面６７Ａと傾斜面６７Ｂとの交点である先端部６８と、上方に位置する外側端部４１Ａとを結んだ直線Ｌ３よりも内側の領域Ｒを羽根部材６５の下流側に位置する入賞口６１に対して取り込まれ易い領域として容易に認識させることが可能となる。
つまり、羽根部材６５が開放状態となった場合において、上方に位置する壁面としての障壁５０が基準となって、当該障壁５０と羽根部材６５とによって、上下方向に閉鎖された領域Ｒが形成されるので、遊技者は視覚的に入賞口６１に取り込まれ易い領域を認識することが可能となる。
そして、遊技者に対してその視野内に領域Ｒの存在を容易に認識させることができれば、球が領域Ｒよりも上方を流下している場合において、当該流下中の球が羽根部材６５によって取り込まれ、かつ、羽根部材６５の下流側に位置する入賞口６１に取り込まれるであろうことを開放のタイミング，球の流下経路と相俟って感覚的に認識させることが可能となり、役物構造体６０を用いた遊技における遊技の面白みを格段に向上させることが可能となる。
【００２７】
以下、図１を参照して本実施形態に係るパチンコ機１０の遊技全般について概説する。
遊技盤１１の遊技領域１１Ａ内に進入した球は、打ち出しの強さによって左側領域又は右側領域を流下し、左側領域を流下する球は、流下の過程において遊技領域１１Ａ内に植設された多数の遊技釘や風車に衝突しながら誘導され、遊技盤１１の略中央に設けられた中央始動入賞部品７０、遊技盤１１の下部側方に設けられた複数の一般入賞部品７１に取り込まれ得る。また、中央始動入賞部品７０又は一般入賞部品７１に取り込まれなかった球は、遊技盤１１の中央最下部に開設されたアウト口７３に取り込まれて回収される。
【００２８】
球が一般入賞部品７１に取り込まれた場合、一般入賞部品７１内に取着された検出センサーからの信号に基づいて、主制御装置により前述の上皿構造体１６に賞球としての球を払出す賞球払出処理が実行される。この場合の賞球数は例えば１０個に設定される。
なお、主制御装置は、各入賞部品に対応する検出センサーからの検出信号に基づいて個別に制御処理を実行するＣＰＵ，ＲＯＭ，ＲＡＭ等のハードウェアが搭載されたいわゆるコンピュータであって、各検出センサー、制御装置、或いは駆動源とは図外のインターフェイスや駆動回路を介して接続され、ＲＯＭに格納されたプログラムに従って動作する。
【００２９】
球が中央始動入賞部品７０に取り込まれた場合、中央始動入賞部品７０内に取着された検出センサーからの信号に基づいて主制御装置により前記同様の賞球払出処理と、所定の確率による大当り抽選処理が実行される。大当り抽選処理の結果「大当り」となる確率は、例えば３６０分の１として予め設定される。
【００３０】
主制御装置は、大当り抽選処理の結果に基づいて図外の図柄表示装置に表示される演出用図柄の変動を開始させるとともに、所定時間経過後に大当り抽選処理の結果を報知する態様で演出用図柄を停止させる図柄変動処理を実行する。停止後の演出用図柄は、大当り抽選処理の結果が「大当り」である場合に例えば「７，７，７」のように同一数字や特定のキャラクターを模した図柄が直線状に配列された形態であり、大当り抽選処理の結果が「大当り」以外の「外れ」である場合には、「１，３，５」のような互いに異なる数字やキャラクターを模した図柄が配列された形態である。
【００３１】
主制御装置による大当り抽選の結果が「大当り」であり、かつ、停止後の演出用図柄の態様が「大当り」であることを示す態様で停止した後、大当り遊技開始処理が実行される。本実施形態において、大当り遊技は右側領域、即ち、役物構造体６０と同一方向であって、かつ、役物構造体６０よりも下方に設けられた大入賞部品７４を開放することにより実行される。大入賞部品７４を役物構造体６０と同一方向に配設したことにより、大入賞部品７４に球を取り込ませるべく右側領域に打ち出された球の一部は、前述のとおり、落下経路の途中で誘導通路４１上においてあたかも一旦止まった状態となった後に、再び外側端部４１Ａから落下を開始することとなるため、球が誘導通路３０Ａから落下してから大入賞部品７４に取り込まれるまでの時間的余裕が生まれ、遊技者は、球が大入賞部品７４に取り込まれるまでの過程を確実に視認することができる。
【００３２】
大入賞部品７４は、遊技盤１１の前面に開口する図外の矩形の入賞口と、当該入賞口の前方を閉塞し、前後方向に開閉自在な開閉体７５とから構成され、当該開閉体７５が遊技盤１１の背面に装着されるソレノイドによって前方に開放状態となることにより、遊技盤１１の右側を流下する球を上方から入賞口内部に取り込むことが可能である。入賞口内部には、入賞口に取り込まれた球を検出するセンサーが設けられ、主制御装置は、当該センサーからの検出信号に基づいて賞球としての球を例えば１５個払出す。
大当り遊技は、検出センサーによる１０回の検出又は開閉体７５の開放から所定時間の経過のうち、いずれか早い条件が成立するまでを１ラウンドとして、当該ラウンドが例えば１５回繰り返され、遊技者は短時間に多くの球の払出を受けることができる。
【００３３】
大当り終了後には、大当り遊技後の特典である「時短遊技」の有無についての判定が行われ、「時短遊技」有りと判定された場合、以後の遊技は、特典が付与されていない「通常遊技」の場合と比べ、球を右側領域に向かって打ち出す方が大当りを獲得し易くなる。なお、「通常遊技」から「時短遊技」への切替は、主制御装置のワークエリアとしてのＲＡＭ内に記憶される時短フラグをＯＮ又はＯＦＦすることにより行われる。また、「通常遊技」中において獲得した大当り遊技後に遊技状態が「通常遊技」から「時短遊技」となる確率は、例えば２分の１や３分の１程度に設定される。なお、「時短遊技」の有無が決定されるのは、始動入賞部品７０、後述のサイド始動入賞部品８０への球の入賞により決定した特別図柄の態様により決定される。
以下、遊技盤１１の右側領域に設けられる役物構造体６０を用いた「時短遊技」について詳説する。
【００３４】
「時短遊技」中において遊技者が球を右側領域に打ち出した場合、球は図２に示すような複数の経路を経て流下する。なお、図２に示す経路は代表的な経路を例示したものであって、これに限定されるものではない。
球が普通図柄始動部品４３の検出部４３Ａを通過すると、主制御装置は、検出部４３Ａに内挿された検出センサーからの出力信号に基づいて所定の確率によるサイド始動入賞部品８０の開放抽選処理を実行する。サイド始動入賞部品８０の開放抽選処理の結果「当り」となる確率は、遊技状態に関わらず例えば１０分の９程度に設定される。
【００３５】
サイド始動入賞部品８０は、概略、遊技盤１１の前後方向に貫通する入賞孔８０Ａと、当該入賞孔８０Ａの下縁部において遊技盤１１の前後方向に進退動作するガイド片８０Ｂとからなり、上記抽選結果が「当り」であることに基づきガイド片８０Ｂが駆動する。具体的には、ガイド片８０Ｂは、遊技盤１１の前後方向に進退可能な舌片であって、抽選結果が「当り」であることに基づいて遊技盤１１の裏側において連結されたソレノイドが駆動し、ガイド片８０Ｂが遊技盤１１の表面よりも前側に突出する。そして、ガイド片８０Ｂが前側に突出したタイミングで球がガイド片８０Ｂ上に乗ることにより、球が入賞孔８０Ａ内に誘導される。
【００３６】
ガイド片８０Ｂの動作は、現在の遊技状態によって異なる。遊技状態が「時短遊技」以外の「通常遊技」である場合、ガイド片８０Ｂによる球の受け入れ動作は、例えば０．０８８秒間継続し、当該動作が１回で終了する。
一方、遊技状態が「時短遊技」（開放時間延長機能作動中）である場合、ガイド片８０Ｂによる球の受け入れ動作は、例えば１．７秒間継続し、当該動作が間欠的に３回繰り返された後に終了する。
つまり、「通常遊技」中においてサイド始動入賞部品８０の開放抽選処理の結果が「当り」となった場合であっても、ガイド片８０Ｂによる球の受け入れ動作が極めて短時間で終了することから「通常遊技」中に球を右側領域に打ち出しても球が入賞孔８０Ａに取り込まれる可能性は極めて低い。
一方、「時短遊技」中においてサイド始動入賞部品８０の開放抽選処理の結果が「当り」となった場合、ガイド片８０Ｂによる球の受け入れ動作が長時間継続し、かつ、複数回繰り返される（ガイド片８０Ｂによる開放時間延長機能が実行される）ことから「時短遊技」中に球を右側領域に打ち出せば、球が入賞孔８０Ａ内に取り込まれる可能性が極めて高くなる。
よって、遊技者にとっては遊技状態が「通常遊技」である場合には、球を左側領域に打ち出す方が大当りを獲得し易く、「時短遊技」である場合には、右側領域に打ち出す方が大当りを獲得し易い。以下、球を右側領域に打ち出す遊技における大当り獲得までの動作を説明する。
【００３７】
ガイド片８０Ｂによる球の受け入れ動作により、球が入賞孔８０Ａ内に取り込まれると、主制御装置は、入賞孔８０Ａ内に設けられた検出センサーからの出力信号に基づき、所定の確率による羽根開放抽選処理を実行する。
羽根開放抽選処理の結果「当り」となる確率は、遊技状態に関わらず例えば１．００２５分の１程度に設定され、抽選結果が「当り」であることに基づき役物構造体６０に設けられた羽根部材６５が閉鎖状態から開放状態に変位し、遊技盤１１の右側領域に存在する球を役物構造体６０内に受け入れ可能な状態となる。
【００３８】
羽根部材６５が開放状態中において、球が役物構造体６０の入賞口６１に取り込まれると入賞口６１内に設けられた検出センサーにより検出され、主制御装置は当該検出センサーからの出力に基づき例えば球を３個払出す賞球払出処理を実行する。
また、上記検出センサーによって検出された球は、本体部６３内に設けられた図外の振り分け体により、複数の通路のうちいずれかの通路に振り分けられる。
上述のとおり、複数の通路のうち、少なくとも１つの通路には特別領域が設けられ、主制御装置は、球が当該特別領域に内挿された検出センサーからの出力に基づいて大当り遊技を実行する。当該大当り遊技は、前述の大当り遊技と同様、右側領域に設けられた大入賞部品７４を開放することにより実行される。
なお、役物構造体６０内に進入した球が特別領域内に誘導される確率は例えば１０分の１以下に設定されており、当該確率を満たすように遊技盤１１の裏面に配設された振り分け体を駆動するソレノイドが制御される。
【００３９】
また、球が特別領域に内挿された検出センサーに検出されることにより開始される大当り遊技後に、遊技状態が再び特典としての「時短遊技」となる確率は、例えば５分の４程度に設定されており、一度遊技状態が「通常遊技」から「時短遊技」となった場合には、以降も高い確率で「時短遊技」が継続することとなる。
そして、前述のとおり、「時短遊技」中においては、球がサイド始動入賞部品８０の入賞孔８０Ａへの入賞率が「通常遊技」と比較して極めて高くなり、結果として役物構造体６０への入賞率が極めて高くなることから「通常遊技」よりも大当りを獲得し易い。つまり、本実施形態に係るパチンコ機１０は、遊技盤１１の中央部に設けられた中央始動入賞部品７０への球の入賞に基づいて実行される抽選の結果により、大当り遊技後の遊技状態を「通常遊技」から「時短遊技」へと切り替えるパチンコ機であって、当該「時短遊技」においては、球を遊技盤１１の側方に配設された役物構造体６０側へ打ち出す方が中央始動入賞部品７０側へ打ち出すよりも大当り遊技を獲得する確率が高くなるパチンコ機である。
【００４０】
そして、本実施形態に係るパチンコ機１０にあっては、「時短遊技」中において遊技領域１１Ａ内に打ち出される球を役物構造体６０側へ誘導する第一の誘導部としての右側誘導部３０と、当該右側誘導部３０よりも下方に設けられ、右側誘導部３０から落下した球を遊技盤１１の外側に誘導する第二の誘導部としての誘導部４０を備えたことにより、「時短遊技」中における役物構造体６０までの経路をＸ１，Ｘ２，Ｙ１で示す多様なパターンとすることができる。また、Ｘ１方向に落下した球は、落下経路の途中で誘導部４０の誘導通路４１上においてあたかも一旦止まった状態となった後に、Ｙ１方向へ転動を開始するため、球が右側誘導部３０から落下してから後述の役物構造体６０に取り込まれるまでの時間的余裕が生まれ、遊技者に対して役物構造体６０へ取り込まれるまでのハラハラ感やドキドキ感等の期待感を持続的に付与することが可能となる。
また、障壁５０と開放状態時の羽根部６７の傾斜方向を実質的に同一方向となるように構成したので、遊技者に対して視覚的、感覚的に領域Ｒを羽根部材６５の下流側に位置する入賞口６１、即ち役物構造体６０に対して取り込まれ易い領域として容易に認識させることが可能となり、役物構造体６０を用いた「時短遊技」中における遊技の面白みを格段に向上させることが可能となる。
以上、本発明を実施の形態に基いてを説明したが、本発明の技術的範囲は上記実施形態に何ら限定されることはなく、実施形態を組み合わせて多様な変更、改良を行い得ることが当業者において明らかである。また、そのような多様な変更、改良を加えた形態も本発明の技術的範囲に含まれ得ることが特許請求の範囲の記載から明らかである。
【００４１】
特に、役物構造体６０の遊技盤１１上における位置は、何ら限定されるものではなく、例えば役物構造体６０を左側領域内に設けることも可能であり、その場合、誘導部４０の突出方向は、上記実施形態における方向と左右対称となる。つまり、球を遊技領域外側へ向かって誘導する形態であればよい。
【符号の説明】
【００４２】
１０  パチンコ機，１１  遊技盤，１１Ａ  遊技領域，１９  取り付け開口，
２０  盤面飾り，２１  ベースプレート，２５  左側誘導部，３０  右側誘導部，
３０Ａ  誘導通路，４０  誘導部，４１  誘導通路，４３  普通図柄始動部品，
５０  障壁，６０  役物構造体，６５  羽根部材，７０  中央始動入賞部品，
７１  一般入賞部品，７４  大入賞部品，８０  サイド始動入賞部品
【図１】
0005620226.tif 000002
【図２】
0005620226.tif 000003
【図３】
0005620226.tif 000004
【図４】
0005620226.tif 000005